(57)【要約】      （修正有）【課題】セルラー通信システムにおける送信に関し、とくにデータ転送モードを最適化する方法を提供する。【解決手段】データ転送モードは、移動局（ＭＳ）によって測定されるダウンリンク品質と基地局（ＢＴＳ）によって測定されるアップリンク品質とを用いて制御される。透明接続では、ＲＸＱＵＡＬ値について所望の最大スレショルドを決めることができ、アップリンクまたはダウンリンクＲＸＱＵＡＬがその最大スレショルドを上回ったとき（すなわち、ビット誤り率ＢＥＲが該最大値を上回ったとき）エラーに対する耐性がより大きな、送信速度のより低いチャネル符号化が採用され、ユーザー・データ送信速度を一定に保つためにたとえばタイムスロットの個数を増やすことによって利用可能なチャネル資源が増やされる。【選択図】図１
2008182731.tif 000002
【特許請求の範囲】
【請求項１】
少なくとも部分的には回線交換（ｃｉｒｃｕｉｔ−ｓｗｉｔｃｈｅｄ）接続を含むセルラー移動通信システムで送信を最適化する方法であって：
移動局（ＭＳ）と基地局（ＢＴＳ）間の無線インターフェイスと、および
前記基地局（ＢＴＳ）と相互接続機能（ＩＷＦ）間の接続と
が前記回線交換（ｃｉｒｃｕｉｔ−ｓｗｉｔｃｈｅｄ）接続であり、
−前記移動局（ＭＳ）および前記基地局（ＢＴＳ）の間で２つ以上のデータ転送モードを使うことが可能であり；
−該データ転送モードにより可能とされるユーザー・データのための送信速度は、少なくとも、利用できるチャネル資源および使用されるチャネル符号化の冗長性に依存し；
−前記移動局（ＭＳ）が利用できるチャネル資源は限られており；
−前記移動局（ＭＳ）は種々のチャネル符号化方法のうちから選択された範囲の限られたチャネル符号化方法へのアクセスを有し；
使用されるデータ転送モードは、前もって取り決められていたデータ転送モードの集合のうちから、前記移動局（ＭＳ）と前記基地局（ＢＴＳ）とのあいだの接続の品質を表す特性に基づいて選択され、その選択および変更後に、データ転送モードの変更が相互接続機能（ＩＷＦ）に通知され、そののちに前記相互接続機能（ＩＷＦ）はパケットデータネットワークとの間で、新しいデータ転送モードに順応することを特徴とする送信の最適化方法。
【発明の詳細な説明】
【技術分野】
【０００１】
本発明の方法は、セルラー通信システムにおける送信に関し、とくにデータ転送モード最適化に関する。
【背景技術】
【０００２】
ＧＳＭシステムでは、移動局ＭＳと基地局ＢＴＳとのあいだでの送信に使用されるＴＣＨチャネルの送信速度（ＴＣＨ／Ｆ）は、使用されるチャネル符号化に関わりなく２２．８ｋｂｉｔ／ｓである。エラーを訂正するために、転送されるデータの冗長性を増大させること（各情報ビットにつき、平均で１ビットより多く送られる）に基づく種々のチャネル符号化が該チャネルで使用される。復号冗長性が大きいほど、訂正できるエラーは大きい。該チャネルでの原送信速度は一定であるので、冗長性を大きくすれば、ユーザーが知覚する有効送信速度は低下する。したがって、チャネル符号化方法を選ぶときには、送信の信頼性と速度とを折衷する必要がある。
【０００３】
最高の送信速度を提供するけれどもエラー消去が最もわるい符号化、すなわち１／２たたみ込み符号化、は符号化されているデータのために１２ｋｂｉｔ／ｓの送信速度を提供する。ユーザーのデータに加えて、該チャネルは送信プロトコルに関する制御信号も送信し、それはユーザー・データの送信のために９．６ｋｂｉｔ／ｓの容量を残す。もっと信頼性の高い１／３たたみ込み符号化は、４．８ｋｂｉｔ／ｓの送信速度を提供し、エラーをなくすために最も有効な１／６たたみ込み符号化はユーザー・データのために２．４ｋｂｉｔ／ｓの送信速度を提供する。ＧＳＭ規格では、それらのデータ転送モードはＴＣＨ／Ｆ９．６、ＴＣＨ／Ｆ４．８およびＴＣＨ／Ｆ２．４と称される。ＧＳＭシステムの半速ＴＣＨチャネル（ＴＣＨ／Ｈ）では、１／２たたみ込み符号化は符号化されたデータに６ｋｂｉｔ／ｓの送信速度を与え、したがってユーザーは自分のデータを４．８ｋｂｉｔ／ｓで送信することができ、１／３たたみ込み符号化は２．４ｋｂｉｔ／ｓの送信速度を可能にする。ＧＳＭ規格では、それらのデータ転送モードはＴＣＨ／Ｈ４．８及びＴＣＨ／Ｈ２．４として知られている。チャネル符号化だけを使うデータ転送モードは透明モードと呼ばれていて、ＧＳＭ勧告ではＴと略記される。これらのモードではユーザー・データ送信速度は前もって決まっていて一定であり、ＧＳＭシステムは送信に何の影響も及ぼさなくて、ビット誤り率（ＢＥＲ）だけが接続の品質に応じて変動する可能性がある。
【０００４】
チャネル符号化に加えて、ＧＳＭシステムは、エラー消去を目的とする他の通信プロトコル、すなわち無線リンク・プロトコル（ＲＬＰ）も使用する。ＲＬＰプロトコルを使って、そのＲＬＰプロトコルにしたがって、送信側装置はデータを番号付きパケット、またはフレームに編成する。もし受信側装置がフレームを正しく受信しなかったならば、受信側装置はそのフレームを再送するように送信側装置に要求することができる。接続にノイズが非常に多ければ、たった１つのフレームを何度も再送しなければならないこともある。この方式ではビット誤り率（ＢＥＲ）は一定に保たれるけれども、ユーザー・データの送信速度はネットワークの負荷および接続の品質により変動する。したがって、チャネル符号化に加えてＲＬＰプロトコルも使うデータ転送モードは不透明モードと呼ばれていて、ＧＳＭ勧告ではＮＴと略記される。
【０００５】
たとえば“移動通信用ＧＳＭシステム”（"The GSM System for Mobile Communications" by Michel Mouly and Marie-Bernadette Pautet, ISBN 2-9507190-0-7, Palaiseau 1992, 701 pp.）の第７０１ページ、およびＧＳＭ勧告に、当該技術分野の専門家に知られているＧＳＭシステムの基本構造が詳しく記載されている。これらの情報源は前述のプロトコルおよびデータ転送モードのすべても詳しく解説している。
【０００６】
現在のＧＳＭシステムでは、ユーザーは、移動局により使用されるチャネル符号化を変更することができる。したがってユーザーは不透明データ転送モードにおいて送信速度を最大にすることができる。接続品質が良好な基地局の近くでは、ユーザーは最高送信速度（ＴＣＨ／Ｆ９．６）を提供するチャネル符号化方法を選択するべきである。接続品質がよくなくてエラーの数が大きいセルの周辺区域では、ユーザーはＲＬＰプロトコルにしたがってフレームの再送の数を減らすために、ＴＣＨ／Ｆ４．８などの、エラーを防ぐのに都合のよいチャネル符号化を選択するべきである。現在、ＧＳＭシステムは移動局のチャネル符号化モードをファックス接続の時にだけ制御する。したがって、ユーザーは最適化を自分で実行しなければならず、そのためにはＧＳＭシステムの構造についての知識が必要である。ユーザーは、移動中であるならば、短時間おきにチャネル符号化を変更して最適のチャネル符号化を見つけなければならない。さらに、ユーザーは、接続の品質に関する情報など、最適の選択をするのに必要なすべての情報へのアクセスを持っていない。
【０００７】
透明接続に関しては、ＧＳＭシステムと、目下開発中の一般移動通信システム（universal mobile telecommunication system (UMTS)）との変更が実現されるときに、データ送信を最適化するという問題が生じる。１４．４ｋｂｉｔ／ｓの送信速度を可能にする新しいチャネル符号化方法と高速回線交換データ（high speed circuit switched data（ＨＳＣＳＤ））システムとが現時点でＧＳＭのために開発中である。ＨＳＣＳＤシステムでは、ユーザーは、送信速度を大きくするために２つ以上のタイムスロットを、すなわち２つ以上のＴＣＨチャネルを、利用することができる。計画によると、将来のＵＭＴＳシステムも現在のＧＳＭシステムよりは送信速度の選択幅が広くなる。
【０００８】
透明接続では、接続の品質は、送信速度ではなくてビット誤り率にだけ影響を及ぼす。ビット誤り率の低下は、チャネル符号化を向上させて、伝送路で転送される符号化されたデータの量を増やすことによってのみ実現され得る。現在のＧＳＭシステムでは、たとえば半速データ転送モードＴＣＨ／Ｈ４．８から全速データ転送モードＴＣＨ／Ｆ４．８への変更によってこれを実行することができ、その場合にはユーザー・データの送信速度は一定に保たれるけれどもチャネル符号化・レベル、したがって無線リンクを介して転送される生のデータの量は増大する。これに対応して、ＨＳＣＳＤシステムではユーザーはより多くのチャネル資源すなわちタイムスロットを利用することができる。
【０００９】
したがって、透明接続の場合には、データ転送モード最適化は、使用されるチャネル資源の量に影響を及ぼす。ＨＳＣＳＤシステムでは、課金の基礎を、現在の基準に加えて、新送信速度とともに、使用されるチャネル資源にも置くことが計画されているので、使用されるチャネル資源の量がユーザーの電話料金に影響を及ぼすことになる。したがって、高い送信速度を使用すると、使用するタイムスロットの数が少ない低送信速度を使用するときよりも料金が高くなる。
【００１０】
刊行物WO 95/28814は、セルラー電話ネットワークにおいて基地局と移動局とのあいだの無線リンクの品質の変化に対する応答としてデータ転送モードを適応させる方法を開示している。その開示された方法では、送信品質についての２つの別々の分析の結果に応じて情報源符号化及びチャネル符号化が選択される。けれども、この明示されている方法は、いくつかの欠点を持っている：
−この方法は、ベアラー（bearer）・サービスで使われる通信経路のどの部分もが選択された送信モードを支援するわけではないときに起こる問題に対する解決策を与えない；
−この方法は、単一のセルの中での使用に限定されていて、とくに、現在のセルと隣接するセルとが異なる送信モード選択肢を支援するときにどの送信モードおよびセルを使用するかを選択することに伴う問題に何ら答えていない；
−この方法は、ＲＬＰプロトコルにしたがって送信中に送信モードが変更されるときに生じる問題、すなわちいかにしてすべてのＲＬＰフレームをその宛先に確実に到達させるかという問題に対する解決策を与えていない；
−この方法は、２つ以上のチャネル（タイムスロット）を利用できるシステムにおいてデータ送信モードを変更することに伴う問題、とくに該システムで透明接続を維持することに伴う問題、に対する解決策を与えていない。
【発明の開示】
【発明が解決しようとする課題】
【００１１】
本発明の目的は、使用されるデータ転送モードを自動的に最適化する方法を提供することである。本発明の他の目的は、現存するセルラー通信システムへのなるべく少ない追加でデータ転送モードの最適化を可能にする方法を実現することである。本発明の他の目的は、使用される送信モード（透明／不透明）に関わらずにデータ転送モードを最適化できる方法を実現することである。本発明の他の目的は、迅速にデータ転送モードを最適化する方法を実現することである。
【００１２】
データ転送モードを接続の品質に応じて自動的に調整可能とするとともに、現存するシステムにおいてすでに使われている接続品質の尺度を調整基準として使うことによって、これらの目的が達成される。
【００１３】
本発明は、移動局と基地局とのあいだの接続の品質を表す特性に基づいてデータ転送モードを選択し、その選択後に相互接続機能（interworking function（ＩＷＦ））にデータ転送モードの変更を知らせ、その後に該相互接続機能（ＩＷＦ）を新しいデータ転送モードに順応させるようになっている方法を目指している。
【００１４】
本発明は送信を最適化するためのシステムも目指しており、そのシステムは、移動局と基地局とのあいだの接続の品質を表す特性に基づいて、使用されるデータ転送モードを選択するようになっていて、該システムは、その選択後にデータ転送モードの変更に関して相互接続機能（ＩＷＦ）に通知をするようになっており、該システムでは相互接続機能（ＩＷＦ）は該選択に関する情報を受け取ったことに対する応答としてベアラー・サービスのデータ転送モードを変更するようになっている。
【課題を解決するための手段】
【００１５】
本発明の方法では、データ転送モードは、移動局ＭＳによって測定されたダウンリンク品質と基地局サブシステムＢＳＳによって測定されたアップリンク品質とを用いて制御される。現存するシステムでは、基地局サブシステムＢＳＳは、それらの測定結果に基づくＲＸＱＵＡＬ値と受信した信号の強度を表すＲＸＬＥＶ値とを使って、移動局ＭＳの送信の電力レベルとセル内またはセル間でのハンドオーバー（譲渡、またはそれを制御する調停）とを制御する。本発明の方法では、ＲＸＱＵＡＬパラメータ、ＲＸＬＥＶパラメータ、または接続の品質を表す他のパラメータ、またはそれらの組み合わせを用いてデータ転送モードを制御することができる。
【００１６】
透明接続では、ＲＸＱＵＡＬ値について所望の最大スレショルドを決定することが可能である。アップリンク又はダウンリンクのＲＸＱＵＡＬがその最大値を超えたとき、（すなわち、ビット誤り率ＢＥＲが選択された最大値を超えたとき）、より低速でエラーに対する耐性が大きいチャネル符号化が採用され、ユーザー・データの送信速度を一定に保つためにたとえばタイムスロットの数を増やすことによって、利用できるチャネル資源の量が増やされる。
【００１７】
ＲＸＱＵＡＬ値が第２所定スレショルド値より下がったときには、送信速度がより大きいチャネル符号化が採用され、たとえば使用されるタイムスロットの数を減らすことによって、利用できるチャネル資源の量が減らされる。適当量のヒステリシスが得られるようにこの第２および第１のスレショルド値が異なっているのが有利である。また、ユーザー・データについてのＢＥＲが望ましいＢＥＲ限界を超えないように、それらのスレショルド値を選ぶのが有利である。
【００１８】
不透明接続のためのデータ転送モード制御方法は大部分は透明接続のためのと同じであってもよいけれども、前記スレショルド値は別様に設定されるのが有利である。不透明接続では、ＲＬＰプロトコルがユーザー・データについて非常に低い一定の誤り率を保証するので、チャネル符号化されたデータのビット誤り率ＢＥＲは重要ではない。不透明接続の場合には、スレショルド値は、利用できるチャネル資源が許す範囲内で送信速度が最大となるように有利に選択される。さらに、不透明接続の場合には、ユーザー・データについての送信速度は変動し得るのでチャネル符号化およびチャネル資源を同時に変更する必要はない。
【００１９】
移動局ＭＳおよび基地局システムＢＳＳは接続の品質を頻繁に測定するので、データ転送モードの最適化は迅速である。妨害レベルへの高速順応は常に実現可能な最高の性能をもたらし（ＮＴ接続については送信速度、Ｔ接続についてはチャネル資源最少化）、自動制御はユーザーの介在やシステムの動作原理についての知識を必要としない。
【００２０】
データ転送速度を制御するエレメントは、移動局ＭＳ、基地局サブシステムＢＳＳ、または移動サービス交換センターＭＳＣ／ＩＷＦのいずれであってもよい。
【発明を実施するための最良の形態】
【００２１】
例示のために呈示される好ましい実施例と、添付図面とを参照して本発明をいっそう詳しく説明する。
【００２２】
図面において、図１は、基地局コントローラＢＳＣがデータ転送モードを制御する実施例での本発明の方法における信号伝送を示す。
【００２３】
図２は、移動局ＭＳがデータ転送モードを制御する実施例での本発明の方法における信号伝送を示す。
【００２４】
図３は、移動局ＭＳがデータ転送モードを制御する第２実施例での本発明の方法における信号伝送を示す。
【００２５】
図４は、目標セルＴＡＲＧＥＴ−ＢＳＣが前のセルで使われていたデータ転送モードを支援しないハンドオーバーとの関係での本発明の方法における信号伝送を示す。
【００２６】
図中の同様のエレメントは同様の参照符号で示されている。
【００２７】
本書で使用され現在のＧＳＭシステムで適用されているＧＳＭメッセージおよび省略形、ならびにプロトコルおよび処理手順は、前述の書籍“移動通信用ＧＳＭシステム”で詳しく解説されている。
【００２８】
本発明の第１の好ましい実施例では、データ転送モードは基地局コントローラＢＳＣによって制御される。もし相互接続機能ＩＷＦが基地局コントローラＢＳＣに置かれているならば、基地局は、単にデータ転送モードを変更して、割り当て（Assignment）コマンド、チャネル・モード修正（Channel Mode Modify）コマンドまたはハンドオーバー・コマンド、または対応するメッセージを使って、その変更を移動局ＭＳに知らせることができる。
【００２９】
もし相互接続機能ＩＷＦが基地局コントローラＢＳＣに置かれていなければ、事態はもっと複雑であり、その場合にはより多くの信号伝送が必要である。ＧＳＭシステムでは、相互接続機能ＩＷＦは通常は移動サービス交換センターＭＳＣに置かれる。図１は、そのような装置に応用された本発明の方法についての信号伝送図を示す。
【００３０】
通常の実務では、移動局ＭＳは接続品質測定結果についての報告１００を基地局ＢＴＳに送り、基地局は対応するＲＸＱＵＡＬ値１０２を基地局コントローラＢＳＣに送る。基地局コントローラＢＳＣは、データ転送モードを変更しなければならないと決定１０４すると、相互接続機能ＩＷＦに通知１０６する。これは、相互接続機能ＩＷＦが入ってくるデータの流れを監視していてもデータ転送モード変更に気づくことができない場合に必要なことである。基地局コントローラＢＳＣは、たとえばハンドオーバー要求メッセージまたはその他の対応するメッセージの適当な拡張部分を使って相互接続機能ＩＷＦに通知することができる。
【００３１】
必要ならば、相互接続機能ＩＷＦは、移動局ＭＳと相互接続機能ＩＷＦとの間のベアラー・サービスに利用できるデータ転送モードを見つける１０８、１１０。相互接続機能ＩＷＦは、移動局と相互接続機能とのあいだのベアラー・サービスに使われるデータ転送モードを問い合わせて変更するために、たとえばＣＣ修正コマンド１０８またはこの目的に専用される何らかの新しいメッセージ１０８を使ってデータ転送モード変更を移動局ＭＳに知らせることができる。相互接続機能ＩＷＦは、使われるデータ転送モードについてＢＳＣに確認応答１１２を送る。
【００３２】
基地局コントローラＢＳＣにより決定１０４された新しいデータ転送モードを移動局と相互接続機能ＩＷＦとのあいだのベアラー・サービスに利用できるならば、移動局と相互接続機能とのあいだでのこの信号伝送１０８、１１０は必ずしも必要ではない。基地局コントローラＢＳＣは、たとえば、ベアラー・サービスに使われるデータ転送モードについての知識を持つことができ、その場合には、ＢＳＣがたとえばインバンド・メッセージ（in-band message）１０６を使ってデータ転送モード変更を相互接続機能ＩＷＦに知らせれば充分である。使用されるべきベアラー・サービスは通話準備（call setup）段階で取り決められるので、ＢＳＣはそのような知識を持つことができる。通話中、ＢＳＣは、測定結果に応じて、取り決められたサービスのうちの１つを選ぶことができる。ベアラー・サービスは、移動局ＭＳと移動交換センターＭＳＣ／ＩＷＦとのあいだで、ＣＣレベルで取り決めることができる。取り決め後に、取り決められたサービスに属する種々のデータ転送モードと他のパラメータとが基地局コントローラＢＳＣに知らされる。その情報を受け取ったのち、基地局コントローラＢＳＣは、必要なときに、所望のサービスを選ぶことができる。
【００３３】
確認応答１１２を受け取ったのち、基地局コントローラＢＳＣは、基地局ＢＴＳにより使われるデータ転送モード１１４、１１６と移動局ＭＳにより使われるデータ転送モード１１８、１２０とを変更する。最後に、基地局コントローラＢＳＣは、データ転送モード変更１２２を相互接続機能ＩＷＦに知らせる。
【００３４】
本発明の他の実施例では、使われるデータ転送モードを移動局ＭＳが制御する。図２は、その実施例での信号伝送を示している。この場合には、基地局コントローラＢＳＣはアップリンクＲＸＱＵＡＬ測定結果を移動局ＭＳに通知する１４０、１４２。ＧＳＭシステムでは、ダウンリンクＳＡＣＣＨチャネルは普通はかなり空いていて、基地局コントローラＢＳＣはこの情報を既存のＳＡＣＣＨチャネル・メッセージに付け加えることができるので、この通知を容易に実行することができる。この目的のために新しいＳＡＣＣＨメッセージを定義することも可能である。
【００３５】
アップリンク測定結果を受け取ると、移動局ＭＳは、必要であるかも知れないデータ転送モード変更について決定をする１０４。移動局ＭＳは、修正コマンドまたはその他のこの目的に専用されるＣＣレベルのコマンドを使って、必要なデータ転送モード変更について相互接続機能ＩＷＦに通知１０８をすることができる。相互接続機能ＩＷＦは、移動局ＭＳにそのデータ転送モード変更について確認応答１１０を送るとともにネットワーク・サービスのためのデータ転送モードを変更するように基地局コントローラに命じる１０６。基地局コントローラＢＳＣは、基地局ＢＴＳにより使われるデータ転送モードを変更１１４、１１６するとともに移動局ＭＳにより使われるデータ転送モードを変更１１８、１２０する。最後に、基地局コントローラＢＳＣは、データ転送モード変更について相互接続機能ＩＷＦに通知１２２をする。
【００３６】
ＧＳＭシステムは、不連続送信（ＤＴＸ）を使うことができ、そのときには移動局（または基地局）は、たとえばスピーカーが沈黙しているときなど、送信するべきユーザー・データがなければ、送信をうち切る。したがって、ＧＳＭ勧告は、相手局により送信のために実際に使われるタイムスロットだけについて接続品質を測定するいわゆるRXQUAL SUB測定の仕様を定めている。通常のRXQUAL測定は相手局の送信の番に属するすべてのタイムスロットについて接続品質を測定する。したがって、不連続送信を使うときには、通常のRXQUAL測定は接続品質の余りに粗雑な像を与える。本発明の方法では、データ転送モード制御のために常にRXQUAL SUB測定結果だけを使うことによって、DTXモードに起因する問題を防ぐことができ、これで方法が複雑になることが防止される。さもなければ、基地局コントローラＢＳＣは、各測定期間についてダウンリンクDTX状況を移動局に知らせなければならない。
【００３７】
図３は、使用されているベアラー・サービスが移動局によって選択された新しいデータ転送モードを支援する場合における本発明の方法での信号伝送を示している。このとき、移動局から相互接続機能ＩＷＦへの通知１０８と、相互接続機能によるベアラー・サービス・データ転送モード制御とは必ずしも必要ではない。移動局ＭＳは、ＲＲチャネル・モード修正コマンドまたはその他の、この目的のために専用されるコマンドを使ってデータ転送モード変更通知を基地局コントローラＢＳＣに送る１１８ことができる。基地局コントローラＢＳＣは、移動局により使用されるデータ転送モードを変更１１４、１１６し、その変更を移動局ＭＳに知らせる１２０。必要に応じて、基地局コントローラＢＳＣは、その変更を相互接続機能ＩＷＦに知らせることができる１２２。
【００３８】
セルラー通信システムは発達し続けているので、必ずしもシステムのすべてのセルが新しいチャネル符号化およびデータ転送モードを支援できるとは限らないという事態が発生する可能性がある。そのような場合には、関係するセルおよび基地局コントローラＢＳＣが異なるデータ転送モード選択肢を使用していて、システムのセルおよび基地局コントローラＢＳＣのあいだでハンドオーバーが行われる。ハンドオーバーの際には移動局は新しいセルでどのようなデータ転送モードを利用できるかわかっていない。異なる基地局コントローラＢＳＣのセル間でハンドオーバーを実行するとき、移動サービス交換センターＭＳＣは、ハンドオーバー信号伝送を使って、データ転送モードを、新しい基地局コントローラＢＳＣにおけるデータ転送モードの選択肢に含まれているデータ転送モードに変更する。新しいデータ転送モードを支援するターゲットＢＳＣが旧転送モードしか支援しないセル（ターゲットＢＴＳ）も含んでいるならば、ターゲットＢＳＣは、ハンドオーバーがそのようなセルに関わるものであれば、そのデータ転送モード変更を決定する。基地局コントローラＢＳＣの中でのハンドオーバーにおいて、もしターゲットセルが使用中の転送モードを支援しなければ、ＢＳＣは旧データ転送モードへの変更を決定する。たとえばハンドオーバー・コマンドを使って新データ転送モードを移動局に知らせることができる。
【００３９】
移動局が前記の新しいデータ転送モードを支援するセルに戻れば、前記のRXQUAL値に基づくデータ転送モード制御を使って最適のデータ転送モードを選択することができる。この場合には、たとえば、HSCSDシステムで使われる移動局クラス定義に基づいて移動局の特性に関する知識をネットワークが持っていると有利である。この場合、主として必要とされる情報は、移動局により支援されるデータ転送モードのリストである。
【００４０】
たとえば、旧セルでは、移動局は、単一のタイムスロットで新しい１４．４ｋｂｉｔ／ｓ透明データ送信を使っていたとする。移動局が９．６ｋｂｉｔ／ｓ透明送信だけを支援するセルに入ってゆくとき、ネットワークはＨＳＣＳＤシステムに従って２つの９．６ｋｂｉｔ／ｓタイムスロットを使うように移動局に指示することができる。移動局がのちに単一タイムスロットでの新しい１４．４ｋｂｉｔ／ｓ送信を支援するセルに入ってゆけば、ネットワークは、１つのタイムスロットを解放してこの新しいデータ転送モードを使うように移動局に指示することができる。
【００４１】
図４は、ターゲットＢＳＣが使用中の新データ転送モードを支援しない場合のセル間ハンドオーバーにおける信号伝送を示している。基地局コントローラＢＳＣは、移動局から接続品質測定結果報告１００、１０２を受け取ったのち、ハンドオーバーについて決定１４６をする。基地局コントローラＢＳＣは、所要のハンドオーバーについて移動サービス（または局）交換センターＭＳＣに知らせる１４８。移動サービス交換センターＭＳＣはターゲットＢＳＣにより支援されるデータ転送モードについての知識を持っている。必要に応じて、移動サービス交換センターＭＳＣは、使用されているベアラー・サービスのデータ転送モードを見いだし１０８、１１０、データ転送モード変更について決定を行う１０４。移動サービス交換センターは、ハンドオーバー・コマンド１５０をターゲット・セルに送って、ターゲットＢＳＣに支援される旧データ転送モードの１つに変更する。基地局コントローラと、ターゲットセルの基地局とは、ハンドオーバー初期化処理手順１５２を実行し、そののちにターゲットセルの基地局コントローラTARGET-BSCはハンドオーバーを実行できる状態になっていることを移動サービス交換センターに表明する１５４。同時に、ターゲット・セルにより支援される旧データ転送モードを使用されるデータ転送モードとして確定するハンドオーバー・コマンド１５６が移動局ＭＳに送られる。このハンドオーバー・コマンドは、そのまま原始セル（source cell）の基地局コントローラＢＳＣを介して移動局に伝達される。そののち、システムはセル間ハンドオーバーに関連する通常の処理手順１５８を実行する。それらが実行されると、ターゲット・セルの基地局と基地局コントローラとは、ハンドオーバーが完了したことを表明し１６０、１６２、そののちに移動サービス交換センターは、使用されていたチャネルを解放するように前のセルに指示する１６４。最後に、前のセルはチャネル開放を実行する１６６、１６８。
【００４２】
前のセルで使われた新データ転送モードのＲＬＰプロトコルがターゲット・セルで使われる旧データ転送モードのＲＬＰプロトコルとは違っているならば、前のセルのＲＬＰプロトコルをリセットしてターゲット・セルのＲＬＰプロトコルを初期化しなければならない。送られてはいるけれどもいまだ確認応答されていないフレームはターゲット・セルのＲＬＰプロトコルに従って再送されなければならない。もし前記の新データ転送モードおよび旧データ転送モードのＲＬＰプロトコルが同じであるならば、リンクのリセットやリンクの初期化は不要である。
【００４３】
場合によってはサービス特有の選択的ハンドオーバーを使う必要があるかも知れない。接続を２つ以上のターゲット・セルに引き継がせることができるならば、それらのセルにより支援されるデータ転送モードに応じてターゲット・セルを選択することができる。この種の選択は、通常の基準で行われるターゲット・セル選択とは異なるかも知れない。たとえば、もし前のセルが１４．４ｋｂｉｔ／ｓの送信速度を使っていたならば、測定された接続レベルＲＸＬＥＶ値がもっと良好ではあるが旧９．６ｋｂｉｔ／ｓの送信速度だけを支援するセルが付近にあったとしても、１４．４ｋｂｉｔ／ｓを支援する他のセルに接続を引き継がせることができる。この種のサービス特有セル間ハンドオーバーは、現在の勧告にしたがって新しいハンドオーバー・アルゴリズムを基地局システムＢＳＳに追加することを必要とする。
【００４４】
以上の記述では、本発明はＧＳＭシステムに応用されているけれども、本発明はＧＳＭシステムでの応用だけに限定されるものではない。以上の記述において使用されている省略形、メッセージおよび用語はＧＳＭシステムに準拠する実例であり、たとえばGSM-HSCSD、CDMA(IS-95)、US-TDMA、PDCおよびUMTSシステムなど、本発明を応用することのできる他の多くのセルラー通信システムにおいて対応する概念およびエレメントを見いだすことができる。
【００４５】
以上、RXQUAL値を使ってデータ転送モードを制御する方法を例示した。RXQUAL値に加えて、本発明の方法は、受信された信号の強度を表すRXLEV値、または、接続品質を表すセルラー通信システムの他の特性、またはそれらの組み合わせを使ってデータ転送モードを制御することができる。
【００４６】
最適化は、移動局および基地局システムによって頻繁に行われる接続品質測定に基づいて行われるので、本発明の方法は高速データ送信モード最適化を提供する。また、この方法は、すでに存在する測定処理手順および結果を使うので、簡単に実施し得る。ユーザーはＧＳＭシステムの構造も、送信最適化に必要な瞬時接続品質も知らなくてよいので、自動的データ転送モード制御はユーザーにとっても容易である。
【図面の簡単な説明】
【００４７】
【図１】基地局コントローラＢＳＣがデータ転送モードを制御する実施例での本発明の方法における信号伝送を示す。
【図２】移動局ＭＳがデータ転送モードを制御する実施例での本発明の方法における信号伝送を示す。
【図３】移動局ＭＳがデータ転送モードを制御する第２実施例での本発明の方法における信号伝送を示す。
【図４】目標セルＴＡＲＧＥＴ−ＢＳＣが前のセルで使われていたデータ転送モードを支援しないハンドオーバーとの関係での本発明の方法における信号伝送を示す。
【図１】
2008182731.tif 000003
【図２】
2008182731.tif 000004
【図３】
2008182731.tif 000005
【図４】
2008182731.tif 000006